(57)【要約】【課題】  通信状態を診断するための基データを入力することなく、制御機に接続されたナースコール親機や廊下灯等の機器の通信異常を検出可能とする。【解決手段】  ＰＣ親機に設けた自己診断ボタンの操作（Ｓ２）により、制御機から全てのナースコール親機、全ての廊下灯、ＰＢＸ交換機等の各機器に対して初期通信確認信号を送信（Ｓ３）する。各機器では初期通信確認信号を受信したら、正常に接続され、機器に異常がなく通信可能であることを示す応答信号が制御機に対して送信され、制御機は、この応答信号を受信（Ｓ４）して、診断結果から自己診断結果テーブルを作成（Ｓ５）する。診断結果に間違いがなければ登録ボタンを操作（Ｓ６）して自己診断結果テーブルをメモリに保存（Ｓ７）させる。その後、この自己診断結果テーブルを基データとして通信状態確認信号を適宜送信して各機器に対して通信診断を実施する。【選択図】  図４
2005352875.tif 000002
【特許請求の範囲】
【請求項１】
患者からの呼び出しに応答するためのナースコール親機と、患者が看護師を呼び出すためのナースコール子機と、前記ナースコール子機からの呼び出しを看護師に知らせるための廊下灯と、前記ナースコール親機および前記廊下灯を制御する制御機と、を有するナースコールシステムであって、
前記制御機は、所定の操作により前記ナースコール親機、前記廊下灯に対して通信可能な状態であるかを診断する初期通信確認信号を送出する通信確認手段と、前記初期通信確認信号を受信した前記ナースコール親機、前記廊下灯からの応答信号を受信して通信結果を基に通信可能な機器情報を自己診断結果テーブルとして保存する通信結果記憶手段とを有することを特徴とするナースコールシステム。
【請求項２】
前記通信結果記憶手段に記憶された自己診断結果テーブルを表示する表示手段を有することを特徴とする請求項１記載のナースコールシステム。
【請求項３】
前記通信確認手段は、前記初期通信確認信号が送信される度に、前記通信結果記憶手段に保存されている自己診断結果テーブルを最新の自己診断結果テーブルに書き換えることを特徴とする請求項１又は２記載のナースコールシステム。
【請求項４】
前記通信結果記憶手段は、保存する操作が成された場合のみ受信した最新の通信結果を自己診断結果テーブルとして保存することを特徴とする請求項１又は２記載のナースコールシステム。
【請求項５】
前記通信確認手段は、前記通信結果記憶手段に前記自己診断結果テーブルが記憶されたら、前記ナースコール親機、前記廊下灯に対して、通信可能な状態が継続しているか診断するための通信状態確認信号を適宜送信すると共に、前記通信状態確認信号を受信した前記ナースコール親機、前記廊下灯からの応答信号を受信し、
更にこの通信結果を前記記憶された自己診断結果テーブルと比較して、比較した結果が不一致の場合には、通信異常発生と判断して前記ナースコール親機に設けた報知手段を報知動作させることを特徴とする請求項１乃至４の何れかに記載のナースコールシステム。
【請求項６】
前記報知手段による報知動作は、前記通信異常の発生が一定時間継続したら実施されることを特徴とする請求項５記載のナースコールシステム。
【請求項７】
前記報知手段による報知動作は、前記通信異常の発生が解除されるまで行われることを特徴とする請求項５又は６記載のナースコールシステム。
【請求項８】
前記通信確認手段は、ポーリングして初期通信確認信号を送信することを特徴とする請求項１乃至７の何れかに記載のナースコールシステム。
【請求項９】
前記通信確認手段は、ポーリングして通信状態確認信号を送信することを特徴とする請求項５乃至８の何れかに記載のナースコールシステム。
【発明の詳細な説明】
【技術分野】
【０００１】
本発明はナースコールシステムに係り、特に、制御機に接続されるナースコール親機や廊下灯等の機器に通信異常が発生した場合にそれを検出する技術に関する。
【背景技術】
【０００２】
ナースコールシステムは、ナースステーションに設置されて患者からの呼び出しに応答するためのナースコール親機、各病床等に設置されて看護師を呼び出すためのベッド子機（ナースコール子機）、病室毎に設置されて呼び出しが成されたことを病室前でも知らせる廊下灯等から構成されている。このように構成されたナースコールシステムは、例えば特許文献１に示すように、廊下灯から接続されているナースコール子機に対してポーリング処理により信号が送受され、ナースコール子機等の接続機器との通信が正常であるか診断している。
【特許文献１】特開平８−１６３１５５号公報
【発明の開示】
【発明が解決しようとする課題】
【０００３】
しかしながら、上記従来例のナースコールシステムにおいては、設定された数のアンサーデータが来るか否かを検出して通信異常を判断するため、ナースコール子機の数等の基データをあらかじめ設定しておかなければならなかった。そのため、接続される数が決まっていないときには対応できなかったし、接続される機器の数が変更された場合は、基データを書き換えなければならなかった。
また、上記特許文献１の技術は、廊下灯とナースコール子機等の端末の間の通信状態（接続状態）を診断する構成であり、システム全体の通信状態を診断するものではなかった。
【０００４】
そこで、本発明はこのような問題点に鑑み、通信状態を診断するための基データを入力することなく、また接続される機器の台数が変更されても容易に対応でき、制御機に接続されたナースコール親機や廊下灯等のシステム全体の機器の通信状態を診断するナースコールシステムを提供することを目的とする。
【課題を解決するための手段】
【０００５】
上記課題を解決する為に、請求項１に記載の発明は、患者からの呼び出しに応答するためのナースコール親機と、患者が看護師を呼び出すためのナースコール子機と、ナースコール子機からの呼び出しを看護師に知らせるための廊下灯と、ナースコール親機および廊下灯を制御する制御機と、を有するナースコールシステムであって、制御機は、所定の操作によりナースコール親機、廊下灯に対して通信可能な状態であるかを診断する初期通信確認信号を送出する通信確認手段と、初期通信確認信号を受信した前記ナースコール親機、廊下灯からの応答信号を受信して通信結果を基に通信可能な機器情報を自己診断結果テーブルとして保存する通信結果記憶手段とを有することを特徴とする。
この構成により、制御機が通信可能な機器情報を自己診断結果テーブルとして作成保存するので、施工時や接続機器変更時に自己診断結果テーブルを作成させることで、それを通信状態を診断する基データとして利用することができ、容易に通信診断を実施できる。そのため、別途接続機器診断のための基データを作成して入力しておく必要がないし、接続機器を変更した場合も制御機自身が基データを書き換えることができるので、別途基データの変更操作が必要ない。
【０００６】
請求項２の発明は、請求項１に記載の発明において、通信結果記憶手段に記憶された自己診断結果テーブルを表示する表示手段を有することを特徴とする。
この構成により、作成された自己診断結果テーブルを表示できるので、正しく接続されているか容易に確認でき、診断結果の正誤を速やかに判断できる。
【０００７】
請求項３の発明は、請求項１又は２に記載の発明において、通信確認手段は、初期通信確認信号が送信される度に、通信結果記憶手段に保存されている自己診断結果テーブルを最新の自己診断結果テーブルに書き換えることを特徴とする。
この構成により、自己診断結果テーブルが作成される度に常に最新のものが診断結果記憶手段に保存されるので、保存し忘れたりデータの書き換え忘れがなくなる。
【０００８】
請求項４の発明は、請求項１又は２に記載の発明において、通信結果記憶手段は、保存する操作が成された場合のみ受信した最新の通信結果を自己診断結果テーブルとして保存することを特徴とする。
この構成により、間違った自己診断結果テーブルが保存されることがなく、確実に正しいデータを保存することができる。
【０００９】
請求項５の発明は、請求項１乃至４の何れかに記載の発明において、通信確認手段は、通信結果記憶手段に自己診断結果テーブルが記憶されたら、ナースコール親機、廊下灯に対して、通信可能な状態が継続しているか診断するための通信状態確認信号を適宜送信すると共に、通信状態確認信号を受信したナースコール親機、廊下灯からの応答信号を受信し、更にこの通信結果を記憶された自己診断結果テーブルと比較して、比較した結果が不一致の場合には、通信異常発生と判断してナースコール親機に設けた報知手段を報知動作させることを特徴とする。
この構成により、通信異常を検出したら報知するので、通信異常の発生を速やかに認識できる。
【００１０】
請求項６の発明は、請求項５に記載の発明において、報知手段による報知動作は、通信異常の発生が一定時間継続したら実施されることを特徴とする。
この構成により、接続異常が発生しても、それが一時的な場合や自力復旧するような場合、報知動作しないようにでき、必要最小限の報知動作に留めることができる。
【００１１】
請求項７の発明は、請求項５又は６に記載の発明において、報知手段による報知動作は、通信異常の発生が解除されるまで行われることを特徴とする。
この構成により、接続異常の状態が継続している間は報知動作を続けるため、接続異常箇所があることを放置しておくような事態を避けることができる。
【００１２】
請求項８の発明は、請求項１乃至７の何れかに記載の発明において、通信確認手段は、ポーリングして初期通信確認信号を送信することを特徴とする。
この構成により、送信信号と受信信号のデータの衝突を監視する必要がなく、簡易な構成で通信診断することができる。
【００１３】
請求項９の発明は、請求項５乃至８の何れかに記載の発明において、通信確認手段は、ポーリングして通信状態確認信号を送信することを特徴とする。
この構成により、送信信号と受信信号のデータの衝突を監視する必要がなくなり、簡易な回路構成で通信診断することができる。
【発明の効果】
【００１４】
このように、本発明によれば、制御機が初期通信確認信号を送出して通信可能な機器情報を自己診断結果テーブルとして作成して保存するので、施工時や接続機器変更時に自己診断結果テーブルを作成すれば、それをその後の通信診断の基データとして利用して制御機に接続されたナースコール親機や廊下灯等の機器の通信状態を診断できる。従って、別途接続機器診断のための基データを作成したり変更する作業が必要なくなる。
【発明を実施するための最良の形態】
【００１５】
以下、本発明を具体化した実施の形態を、図面に基づいて詳細に説明する。図１は、本発明に係るナースコールシステムの実施形態の一例を示すシステム構成図であり、１はナースステーションに設置されて患者からの呼び出しに応答するためのナースコール親機、、２ａは患者が看護師を呼び出すために各病床に設置されるベッド子機、２ｂはトイレから看護師を呼び出すためにトイレに設置されるトイレ子機、３は呼び出しを知らせるために病室毎に設置される廊下灯、４は通話及びデータの送受を制御すると共に廊下灯３に表示する映像を制御する制御機、５は個々の看護師が携行して患者からの呼び出しに個々の看護師が応答するための携帯端末、６はＰＢＸ交換機、７は携帯端末５と通信するための無線基地局である。尚、ベッド子機２ａとトイレ子機２ｂとでナースコール子機２を構成している。
【００１６】
ナースコール親機１は、個々の患者情報を表示するエスカッション１０、及びＬＣＤ（液晶表示部）１１を有するＬＣＤ親機１ａと、パーソナルコンピュータ（以下、ＰＣとする）からなるＰＣ親機１ｂの２つから構成され、ＰＣ親機１ｂはＰＣモニタ画面としてＬＣＤ親機１ａに比べて大画面のＬＣＤ１３を備え、エスカッションをそのＬＣＤ１３に表示するよう構成されている。また、１４は患者と通話するためのハンドセット１４であり、ＬＣＤ親機１ａとＰＣ親機１ｂの双方に備えられている。
【００１７】
廊下灯３は、ＬＣＤ１５を備えた液晶廊下灯であり、呼び出しがあることを表示すると共に呼出操作をした患者の氏名や救護区分等の看護情報をＬＣＤ１５に表示するよう構成されている。尚、この廊下灯３の患者情報の設定は、ＬＣＤ親機１ａ又はＰＣ親機１ｂにより成される。
【００１８】
図２は図１のシステムの要部ブロック図を示し、ナースコール親機１（１ａ，１ｂ）、制御機４、廊下灯３のブロック図を示している。図２に示すように、ナースコール親機１のうち一方のＬＣＤ親機１ａは、ＬＣＤ１１に文字や絵を表示するためのＬＣＤ駆動回路１６、ナースコール子機２からの呼び出しにより呼出音を報音するための呼出音発生回路１７、ハンドセット１４とは別にハンズフリー通話を可能とするスピーカ／マイク（以下ＳＰ／ＭＩＣ）１８、通話回路１９と、ＬＣＤ１１を利用して各種入力をおこなうためのタッチパネル２０、各回路を制御するＬＣＤ親機ＣＰＵ２１、そして制御機４に接続するためのＬＣＤ親機ＩＦ（インターフェイス）２２を備えている。
【００１９】
また、他方のＰＣ親機１ｂは、ＬＣＤ１３に文字や絵を表示するためのＬＣＤ駆動回路２４、患者からの呼出により呼出音を報音するための呼出音発生回路２５、ハンドセット１４とは別にハンズフリー通話を可能とするスピーカ／マイク（以下ＳＰ／ＭＩＣ）１８、通話回路１９、ＬＣＤ１３を利用して各種入力をおこなうためのタッチパネル２６、ＰＣ親機１ｂの各部を制御するＰＣ親機ＣＰＵ２７、そして制御機３４接続するためのＰＣ親機ＩＦ（インターフェイス）２８を備えている。尚、ＰＣ親機１ｂでは、ＬＣＤ１３にエスカッションが表示されるし、更に、患者情報、看護情報等も表示される。
そして、このように構成されたＬＣＤ親機１ａ、ＰＣ親機１ｂの双方から、患者からの呼び出しに応答できるし、勤務時間帯の変更操作等の各種設定ができるようになっている。
【００２０】
制御機４は、通信結果記憶手段としてのメモリ３０を有し、３１は制御機４各部を制御すると共に廊下灯３の出画映像を制御し、更に通信確認手段として動作する制御機ＣＰＵを示している。
【００２１】
廊下灯３は、ＬＣＤ１５の所定の位置に文字や絵を表示するためのＬＣＤ駆動回路３３、ＬＣＤ１５のバックライト３４、バックライト３４への電源供給を調整するためのＡＣインバータ３５、患者からの呼び出しを報知するための表示灯３６、廊下灯３の各部を制御する廊下灯ＣＰＵ３７を有し、次のように動作する。
患者からの呼び出しが無い待受状態では、バックライト３４が動作せず、ＬＣＤ１５には何も表示されていない。この状態において、患者からの呼び出しがあったら、廊下灯ＣＰＵ３７はバックライト３４を点灯して呼出操作をした患者情報、即ち患者の氏名及び救護区分、呼出種別等の看護情報をＬＣＤ駆動回路３３を介してＬＣＤ１５に表示させる。そして、ナースコール親機１で応答が成されたら廊下灯ＣＰＵ３７はそれを検知して待受状態に戻る。また、廊下灯３に設けられている人感センサ（図示せず）の検知及び復旧ボタン（図示せず）の特殊操作（例えば、長押し操作）によっても、患者情報を表示し、所定時間経過すると廊下灯ＣＰＵ３７はバックライト３４を消灯し、待ち受け状態に戻る。このように、廊下灯３は、呼び出しを知らせたり、必要な患者情報を表示する。
【００２２】
このように構成されたナースコールシステムの動作を次に説明する。尚、ナースコール子機２（２ａ，２ｂ）からの呼出時におけるナースコール親機１または携帯端末５での応答、通話等に関しては周知の動作であり本発明の要部ではないので省略し、主に機器の通信異常を検出する動作について図４、図５のフローチャートを基に説明する。
【００２３】
最初に、自己診断開始の操作が行われるが、２台のナースコール親機１ａ，１ｂのどちらを操作しても良く、ここでは説明の都合上ＰＣ親機１ｂを操作する場合を説明する。まず作業者がＰＣ親機１ｂに対して所定の操作を行うと施工時設定モード（Ｓ１）に移行し、ＬＣＤ１３上に制御機４に接続されるナースコール親機１ａ，１ｂ、廊下灯３、ＰＢＸ交換機６等の接続機器を把握させるための自己診断ボタン（図示せず）が表示される。この自己診断ボタンをタッチパネル２６にてタッチ操作（Ｓ２）すると、ＰＣ親機ＣＰＵ２７は、制御機４に対して通信可能な状態であるかを診断する確認開始信号を送信する。
制御機４の制御機ＣＰＵ３１では、確認開始信号を受信すると制御機４に接続された２台のナースコール親機１ａ，１ｂ、全ての廊下灯３，３・・、ＰＢＸ交換機６等の各機器に対して初期通信確認信号を送信（Ｓ３）する。各機器では初期通信確認信号を受信したら、正常に接続され、機器に異常がなく通信可能であることを示す応答信号を制御機４に対して送信する。
【００２４】
制御機ＣＰＵ３１は、この応答信号を受信（Ｓ４）して、診断結果として通信可能な機器情報を自己診断結果テーブルとして作成（Ｓ５）する。そして、この診断結果は、自己診断の開始をさせたＰＣ親機１ｂに送信され、ＰＣ親機ＣＰＵ２７はＬＣＤ１３上に表示する。この自己診断結果テーブルは図３（ｂ）に示すように作成される。尚、図３（ａ）は、予め最大接続可能台数によって作成され記憶されている自己診断基テーブルを示し、このテーブルを基に順次初期通信確認信号がポーリング方式で送信され、応答信号を基に接続されている機器のみ取り出して自己診断結果テーブルは作成される。
作業者は、ＬＣＤ１３に表示された内容を確認することで、接続（診断結果）に間違いがないか確認し、間違いがなければＬＣＤ１３に表示される登録ボタン（図示せず）をタッチパネル２６を介して操作（Ｓ６）する。この操作により、自己診断結果テーブルをメモリ３０に保存（Ｓ７）する。
【００２５】
また、作業者がＬＣＤ１３上に表示された内容を確認し、接続に間違いがあると判断した場合には、登録ボタンを操作せず、応答信号のない端末に対して適切な対処（接続の確認、機器異常の確認等）をおこない、再度、ＰＣ親機１ｂで自己診断ボタンを操作（Ｓ２）し、新たな自己診断結果テーブルを作成（Ｓ３〜Ｓ５）する。そして、間違いがなければ制御機４のメモリ３０に保存（Ｓ７）する。
尚、この操作は、接続される機器の数が変更された場合などに再度行うことで、メモリ３０に保存される自己診断結果テーブルは上書き保存される。
【００２６】
次に、このように作成された自己診断結果テーブルを用いて、システム運用時の機器監視が成される。システム運用時は、制御機４の制御機ＣＰＵ３１の制御により、各端末に対して通信可能な状態が継続しているか診断する通信状態確認信号をポーリング方式で送信（Ｓ１１）する。この通信状態確認信号を受信した各機器は、正常に接続され、機器に異常がなく通信可能であることを示す応答信号を制御機に対して送信する。制御機４は、この応答信号を受信（Ｓ１２）し、メモリ３０に記憶された自己診断結果テーブルと返信されてきた応答信号とを比較（Ｓ１３）する。比較した結果が一致しているか判断（Ｓ１４）し、一致していれば、引き続き機器監視が続けられる。自己診断結果テーブルと比較して不一致箇所がある場合は、例えば２０秒の所定時間が経過するのを待つ（Ｓ１５）。但しこの間、通信確認信号は順次送信され、機器監視は続けられる。
そして、所定時間が経過しても不一致の状態が継続していたら、その結果をＰＣ親機１ｂに通知し、ＰＣ親機ＣＰＵ２７がＬＣＤ１３上に機器異常であることを表示すると共に、ＳＰ／ＭＩＣ１８のスピーカから警報音を鳴動（Ｓ１６）させる。
【００２７】
尚、ＬＣＤ１３の表示内容は、機器異常となっている機器がわかる表示が好ましく、各機器に付されているＩＤ情報から端末の特定は容易にでき、そのＩＤ情報を基に表示すると良い。また、警報はＳＰ／ＭＩＣ１８からの警報音だけでなく、ＬＣＤ１３に警報を表示させても良い。また、ここでは、ＰＣ親機１ｂのみに機器異常発生を報知するよう動作させているが、運用時はＬＣＤ親機１ａに対しても同時に通知すると良い。また、ＬＣＤ親機１ａからも同様の操作で自己診断をして、機器監視を実施できる。
【００２８】
こうして接続機器の通信異常の発生が検出されたら、報知を受けて施工業者等により機器異常となっている端末の確認が行われることになる。そして、修理等が完了し、機器異常の状態が回避されたとき、ナースコール親機の警報発報状態（表示および音）が解除される。
但し、この場合において、ナースコール子機２からの呼出があった場合には、呼び出しを優先させている。つまり、表示については、機器異常を知らせる表示とともにナースコール子機２からの呼出があることを知らせる呼出表示もおこない、音に関しては、警報発報を一時中断し、呼出音を鳴動させる。これらの制御は制御機４またはナースコール親機１にておこなわれる。このような動作をおこなうことで、患者からの呼出に遅延なく対応することができる。
【００２９】
このように、制御機が通信可能な機器情報を自己診断結果テーブルとして作成保存するので、施工時や接続機器変更時に自己診断結果テーブルを作成させることで、それを通信状態を診断する基データとして利用することができ、容易に通信診断を実施できる。そのため、別途接続機器診断のための基データを作成して入力しておく必要がないし、接続機器を変更した場合も制御機自身が基データを書き換えることができるので、別途基データの変更操作が必要ない。
また、作成された自己診断結果テーブルを表示するので正しく接続されているか容易に確認でき、診断結果の正誤を速やかに判断できるし、登録操作により自己診断結果テーブルは保存されるので、間違った自己診断結果テーブルが保存されることがなく、確実に正しいデータを保存することができる。
更に、通信異常の状態が継続している間は報知動作を続けるため、通信異常箇所があることを放置しておくような事態を避けることができるし、ポーリングにより通信するので送信信号と受信信号のデータの衝突を監視する必要がなくなり、簡易な回路構成で通信確認することができる。
【００３０】
尚、上記実施形態では、初期通信確認信号と通信状態確認信号を別々の信号として記載したが、同じ信号であっても良いのは言うまでもない。また、自己診断結果テーブルの保存は登録ボタンを操作して行っているが、自己診断結果テーブルが作成される度に自動で登録するようにしても良く、そうすることで保存し忘れたりデータの書き換え忘れがなくなる。
また、通信異常を検出したら所定時間待つことなく速やかに報知動作させても良く、そうすれば、通信異常の発生を速やかに認識できる。また、自己診断ボタンをナースコール親機１のタッチパネル上に設けているが、制御機４に設けても良い。
更に、上記実施形態では、通信異常が解消されるまで警報音を発報し続ける構成となっているが、音停止ボタンを設けて、音による報知だけ止めるようにしても良い。
【図面の簡単な説明】
【００３１】
【図１】本発明に係るナースコールシステムの実施形態の一例を示す構成図である。
【図２】図１の要部ブロック図である。
【図３】（ａ）は自己診断基テーブル、（ｂ）は自己診断結果テーブルである。
【図４】初期通信確認信号を出力して自己診断結果テーブルを作成する流れを示すフローチャートである。
【図５】通信状態確認信号を出力して機器の接続状態を診断する流れを示すフローチャートである。
【符号の説明】
【００３２】
１・・ナースコール親機、１ａ・・ＬＣＤ親機、１ｂ・・ＰＣ親機、２・・ナースコール子機、２ａ・・ベッド子機、２ｂ・・トイレ子機、３・・廊下灯、４・・制御機、１１・・ＬＣＤ（表示手段）、１３・・ＬＣＤ（表示手段）、１８・・スピーカ／マイク（報知手段）、３０・・メモリ（通信結果記憶手段）、３１・・制御機ＣＰＵ（通信確認手段）。
【図１】
2005352875.tif 000003
【図２】
2005352875.tif 000004
【図３】
2005352875.tif 000005
【図４】
2005352875.tif 000006
【図５】
2005352875.tif 000007